(57)【要約】【課題】  ファクシミリデータ送信時の通信データ量を削減する。【解決手段】  送信側ファクシミリ装置１００は、送信先のファクシミリ装置の指定とともに、送信データおよび当該送信データを印刷する際の印刷情報の送信指示を受け付ける受付部１０２と、送信先のファクシミリ装置がウェブコンテンツを取得可能か否かを判断する送信先判断部１０６と、送信データにウェブコンテンツが含まれるか否かを判断する送信内容判断部１１０と、送信データ中のウェブコンテンツを、当該ウェブコンテンツのアドレス情報に置換して新たな送信データを生成する置換処理部１１２と、受付部１０２が受け付けた送信データまたは置換処理部１１２が生成した送信データを印刷情報とともに送信先のファクシミリ装置に送信する送信処理部１１４と、を含む。【選択図】        図１
2006054688.tif 000002
【特許請求の範囲】
【請求項１】
送信先のファクシミリ装置の指定とともに、送信データおよび当該送信データを印刷する際の印刷情報の送信指示を受け付ける受付手段と、
前記送信先のファクシミリ装置がウェブコンテンツを取得可能か否かを判断する送信先判断手段と、
前記送信データにウェブコンテンツが含まれるか否かを判断する送信内容判断手段と、
前記送信先のファクシミリ装置がウェブコンテンツを取得可能であって、前記送信データにウェブコンテンツが含まれる場合に、前記送信データ中の前記ウェブコンテンツを、当該ウェブコンテンツのアドレス情報に置換して新たな送信データを生成する置換手段と、
前記受付手段が受け付けた送信データまたは前記置換手段が生成した送信データを前記印刷情報とともに前記送信先のファクシミリ装置に送信する送信手段と、
を含むことを特徴とするファクシミリ装置。
【請求項２】
請求項１に記載のファクシミリ装置において、
前記送信手段は、前記送信データと前記印刷情報とを所定のページ記述言語で表したファクシミリデータを生成し、当該ファクシミリデータを前記送信先のファクシミリ装置に送信することを特徴とするファクシミリ装置。
【請求項３】
請求項２に記載のファクシミリ装置において、
前記送信手段は、前記ファクシミリデータを、バイナリ形式で前記送信先のファクシミリ装置に送信することを特徴とするファクシミリ装置。
【請求項４】
ウェブコンテンツ取得機能を有するファクシミリ装置であって、
送信データと、当該送信データを印刷する際の印刷情報とが所定のページ記述言語で表されたファクシミリデータを受信する受信手段と、
前記送信データ中に、ウェブコンテンツのアドレス情報が含まれる場合に、当該アドレス情報に基づき、対応するウェブコンテンツを取得するウェブコンテンツ取得手段と、
前記ファクシミリデータに含まれる前記印刷情報に基づき、前記ウェブコンテンツを印刷する印刷処理手段と、
を含むことを特徴とするファクシミリ装置。
【発明の詳細な説明】
【技術分野】
【０００１】
この発明は、ファクシミリ装置に関する。
【背景技術】
【０００２】
近年、ＩＳＤＮ（Integrated Services Digital Network）、ＡＤＳＬ（Asymmetry Digital Subscriber Line）、ＦＴＴＨ（Fiber to the home）等のインフラストラクチャーが整備され、低価格でインターネット等のネットワークに常時接続できるようになっている。これにより、インターネットを経由してファクシミリデータを送受信するネットワークファクシミリが、今後、一層普及することが予想される。
【０００３】
このようなネットワークファクシミリの中には、ＨＴＴＰクライアント機能を有し、所定のウェブサーバからウェブコンテンツを取得可能に構成されたものもある。
【０００４】
特許文献１には、ポーリング受信によって、ネットワークを介してＷＷＷサーバからＷｅｂのホームページを受信し、その内容を印刷するファクシミリ装置が開示されている。このファクシミリ装置は、ポーリング受信を要求する入力手段と、ポーリング受信要求による宛先を解析する手段と、解析された宛先がＷＷＷサーバのＵＲＬの場合に、そのＷＷＷサーバに対しＷｅｂのホームページ情報受信を要求して、そのＷＷＷサーバからホームページ情報を受信するＷＷＷ受信手段と、受信したホームページ情報を印刷する印刷手段とを含む。
【特許文献１】特開２０００−１０１７７５号公報
【発明の開示】
【発明が解決しようとする課題】
【０００５】
本発明はこうした点に鑑みてなされたもので、その目的は、ファクシミリデータ送信時の通信データ量を削減する技術の提供にある。
【課題を解決するための手段】
【０００６】
本発明によれば、送信先のファクシミリ装置の指定とともに、送信データおよび当該送信データを印刷する際の印刷情報の送信指示を受け付ける受付手段と、送信先のファクシミリ装置がウェブコンテンツを取得可能か否かを判断する送信先判断手段と、送信データにウェブコンテンツが含まれるか否かを判断する送信内容判断手段と、送信先のファクシミリ装置がウェブコンテンツを取得可能であって、送信データにウェブコンテンツが含まれる場合に、送信データ中のウェブコンテンツを、当該ウェブコンテンツのアドレス情報に置換して新たな送信データを生成する置換手段と、受付手段が受け付けた送信データまたは置換手段が生成した送信データを印刷情報とともに送信先のファクシミリ装置に送信する送信手段と、を含むことを特徴とするファクシミリ装置が提供される。
【０００７】
ここで、ウェブコンテンツとは、インターネット等のネットワークに接続されたウェブサーバから取得可能なコンテンツである。本発明によれば、送信先のファクシミリ装置がウェブコンテンツを取得可能であって、送信データにウェブコンテンツが含まれている場合、ウェブコンテンツのかわりに、そのウェブコンテンツのＵＲＬ等のアドレス情報が送信先のファクシミリ装置に送信される。これにより、ファクシミリデータ送信時の通信データ量を削減することができる。
【０００８】
また、送信データとともにその送信データの印刷情報がファクシミリデータとして送信されるので、送信先のファクシミリ装置において、ウェブサーバからウェブコンテンツを取得した場合であっても、印刷情報に基づいて、そのウェブコンテンツを印刷処理することができ、送信側ファクシミリ装置で設定された印刷条件でファクシミリデータを印刷させることができる。
【０００９】
また、この処理は、送信先のファクシミリ装置がウェブコンテンツを取得可能か否かに応じて行われるので、送信先のファクシミリ装置がウェブコンテンツを取得できない場合は、送信データとしてウェブコンテンツが送信される。このため、ウェブコンテンツを取得できないファクシミリ装置においても、ウェブコンテンツを含むファクシミリデータを受信することができる。
【００１０】
ここで、本発明のファクシミリ装置は、送信先のファクシミリ装置のファクシミリ番号等のアドレス情報と、そのファクシミリ装置がインターネットに接続されているか否か、およびＨＴＴＰクライアント機能を有するか否かとを対応づけた記憶手段をさらに含むことができる。送信先判断手段は、その記憶手段を参照して、送信先のファクシミリ装置がウェブコンテンツを取得可能か否かを判断することができる。
【００１１】
本発明のファクシミリ装置において、送信手段は、送信データと印刷情報とを所定のページ記述言語で表したファクシミリデータを生成し、当該ファクシミリデータを送信先のファクシミリ装置に送信することができる。
【００１２】
ここで、送信手段は、印刷情報をＰＪＬ（プリンタジョブランゲージ）で記述し、ＰＪＬで記述された印刷情報と送信データとを所定のページ記述言語（ＰＤＬ）で表したファクシミリデータを生成することができる。これにより、送信先のファクシミリ装置において、印刷情報を容易に解析することができる。
【００１３】
本発明のファクシミリ装置において、送信手段は、ファクシミリデータを、バイナリ形式で送信先のファクシミリ装置に送信することができる。
【００１４】
これにより、送信先のファクシミリ装置において、ＵＲＬ等のアドレス情報や印刷情報の解析を容易に行うことができる。
【００１５】
以上、送信側のファクシミリ装置の構成を説明した。以下、受信側のファクシミリ装置の構成を説明する。なお、本発明のファクシミリ装置は、送信側のファクシミリ装置の構成と受信側のファクシミリ装置の構成とをあわせて有するものとすることもできる。
【００１６】
本発明によれば、ウェブコンテンツ取得機能を有するファクシミリ装置であって、送信データと、当該送信データを印刷する際の印刷情報とが所定のページ記述言語で表されたファクシミリデータを受信する受信手段と、送信データ中に、ウェブコンテンツのアドレス情報が含まれる場合に、当該アドレス情報に基づき、対応するウェブコンテンツを取得するウェブコンテンツ取得手段と、ファクシミリデータに含まれる印刷情報に基づき、ウェブコンテンツを印刷する印刷処理手段と、を含むことを特徴とするファクシミリ装置が提供される。
【００１７】
本発明のファクシミリ装置によれば、受信したファクシミリデータにウェブコンテンツのアドレス情報が含まれる場合に、そのアドレス情報に基づき、対応するウェブコンテンツを取得することができる。また、取得したウェブコンテンツを、ファクシミリデータに含まれる印刷情報に基づき印刷するので、送信側のファクシミリ装置で設定された印刷条件で、ウェブコンテンツの印刷処理を行うことができる。
【００１８】
なお、以上の構成要素の任意の組合せ、本発明の表現を方法、装置、システム、記録媒体、コンピュータプログラムなどの間で変換したものもまた、本発明の態様として有効である。
【発明の効果】
【００１９】
本発明によれば、ファクシミリデータ送信時の通信データ量を削減することができる。
【発明を実施するための最良の形態】
【００２０】
図１は、本実施の形態における送信側ファクシミリ装置および受信側ファクシミリ装置を含むネットワークシステムの構成を示すブロック図である。
【００２１】
送信側ファクシミリ装置１００は、受付部１０２、送信先判断部１０６、送信先情報記憶部１０８、送信内容判断部１１０、置換処理部１１２、および送信処理部１１４を含む。
【００２２】
受信側ファクシミリ装置２００は、受信処理部２０２、解析処理部２０４、ウェブコンテンツ取得部２０６、および印刷処理部２０８を含む。
【００２３】
なお、図１において、本発明の本質に関わらない部分の構成については省略してある。
【００２４】
また、送信側ファクシミリ装置１００および受信側ファクシミリ装置２００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インターフェースを中心にハードウエアとソフトウエアの任意の組合せによって実現される。そして、その実現方法、装置にはいろいろな変形例があることは、当業者には理解されるところである。本図は、ハードウエア単位の構成ではなく、機能単位のブロックを示している。
【００２５】
送信側ファクシミリ装置１００および受信側ファクシミリ装置２００は、たとえばＭＦＰ（Multi Functional Peripheral）等である。送信側ファクシミリ装置１００は、ＰＳＴＮ（公衆交換電話網）３００やインターネット３０２を介して受信側ファクシミリ装置２００とファクシミリデータの授受を行う。なおここでは、送信先のファクシミリ装置として、インターネット３０２に接続され、ＨＴＴＰクライアント機能を有する受信側ファクシミリ装置２００を示しているが、送信側ファクシミリ装置１００は、ＰＳＴＮ３００やインターネット３０２を介して、他の種々のファクシミリ装置と接続される。
【００２６】
送信側ファクシミリ装置１００は、ＬＡＮ１３０等のネットワークを介して、ユーザ端末１３２と接続される。ユーザ端末１３２は、たとえばパーソナルコンピュータ等である。ユーザ端末１３２にはＰＣ−ＦＡＸドライバおよびブラウザプログラムがインストールされており、ユーザ端末１３２から送信側ファクシミリ装置１００へファクシミリデータの送信指示等を行うことができる。
【００２７】
受付部１０２は、ＬＡＮ１３０を介して、ユーザ端末１３２から送信先の指定とともに送信する送信データを受け付ける。受付部１０２は、送信側ファクシミリ装置１００の図示しない操作部を介してユーザから送信先の指定を直接受け付けることもできる。また、送信側ファクシミリ装置１００は、図示しない原稿読取部から紙媒体の原稿を読み取り、その原稿を送信データとして受信側ファクシミリ装置２００に送信することもできる。
【００２８】
送信先判断部１０６は、受付部１０２が受け付けた送信先のファクシミリ装置の動作環境を判断する。ここで、動作環境とは、送信先のファクシミリ装置がインターネットに接続されているか否か、またＨＴＴＰクライアント機能を有するか否か等である。送信先情報記憶部１０８は、送信先のファクシミリ装置のファクシミリ番号やメールアドレス等のアドレス情報と、そのファクシミリ装置がインターネットに接続されているか否か、またＨＴＴＰクライアント機能を有するか否かに関する情報とを対応づけて記憶する。送信先判断部１０６は、送信先情報記憶部１０８を参照して、アドレス情報をキーとして、送信先のファクシミリ装置の動作環境を判断する。
【００２９】
図４は、送信先情報記憶部１０８の内部構成の一例を示す図である。
送信先情報記憶部１０８は、送信先アドレスに対応づけて、インターネット接続の有無およびＨＴＴＰクライアント機能の有無を記憶している。たとえば、ファクシミリ番号が「０１２３−４５６−×××」のファクシミリ装置は、インターネットに接続されており、ＨＴＴＰクライアント機能も有する。また、ファクシミリ番号が「１２３４−５６７−×××」のファクシミリ装置は、インターネットに接続されているが、ＨＴＴＰクライアント機能を有しない。また、ファクシミリ番号が「２３４５−６７８−×××」のファクシミリ装置は、インターネットに接続されておらず、ＨＴＴＰクライアント機能も有しない。
【００３０】
図１に戻り、送信内容判断部１１０は、受付部１０２が受け付けた送信データにウェブコンテンツが含まれているか否かを判断する。ここで、ウェブコンテンツとは、インターネット３０２を介して、所定のウェブサーバから取得可能なコンテンツのことである。ユーザ端末１３２のユーザは、送信データの送信指示を行う際に、送信しようとする送信データにウェブコンテンツが含まれるか否かを示す情報を入力しておくことができる。たとえば、ユーザ端末１３２において、送信先のファクシミリ装置のアドレス情報等を指定する画面に、送信する送信データにウェブコンテンツが含まれるか否かをチェックするチェック欄も表示されるようにすることができる。この場合、送信内容判断部１１０は、ユーザから入力された情報に基づき、送信データにウェブコンテンツが含まれるか否かを判断することができる。
【００３１】
置換処理部１１２は、送信先判断部１０６が送信先のファクシミリ装置がウェブコンテンツを取得可能と判断し、送信内容判断部１１０が送信しようとする送信データにウェブコンテンツが含まれると判断した場合、送信データ中のウェブコンテンツをそのウェブコンテンツのＵＲＬ（Uniform Resource Locator）に置換する。ウェブコンテンツのＵＲＬは、たとえばユーザに指定させることもでき、また、送信データのファイル名等から抽出することもできる。
【００３２】
本実施の形態において、受付部１０２は、ユーザ端末１３２のユーザから、送信データを印刷する際の印刷情報も受け付ける。ここで、印刷情報とは、書式の指定、用紙サイズ、解像度等の印刷条件である。送信処理部１１４は、受付部１０２が受け付けた印刷情報をＰＪＬ（プリンタジョブランゲージ）で記述する。送信処理部１１４は、受付部１０２が受け付けた送信データまたは置換処理部１１２が置換したデータと、ＰＪＬで記述された印刷情報とを所定のページ記述言語（ＰＤＬ）で表したファクシミリデータを生成する。送信処理部１１４は、生成したファクシミリデータを指定された送信先のファクシミリ装置に送信する。ここで、送信処理部１１４は、ファクシミリデータをバイナリ形式で送信する。これにより、送信先のファクシミリ装置において、ＵＲＬや印刷情報の解析を容易に行うことができる。
【００３３】
受信側ファクシミリ装置２００は、インターネット３０２に接続され、ＨＴＴＰクライアント機能を有する。
【００３４】
受信処理部２０２は、他のファクシミリ装置から、ＰＳＴＮ３００やインターネット３０２を介してファクシミリデータを受信する。
【００３５】
解析処理部２０４は、受信処理部２０２が受信したファクシミリデータを解析し、ファクシミリデータにウェブコンテンツのＵＲＬが含まれているか否かを判断する。ファクシミリデータにウェブコンテンツのＵＲＬが含まれていないと判断した場合、解析処理部２０４は、印刷処理部２０８にその旨を通知する。一方、ファクシミリデータにウェブコンテンツのＵＲＬが含まれていると判断した場合、解析処理部２０４は、その旨をウェブコンテンツ取得部２０６に通知する。
【００３６】
ウェブコンテンツ取得部２０６は、解析処理部２０４から通知を受けると、ファクシミリデータに含まれるＵＲＬで指定されたウェブサーバ３０４にインターネット３０２を介してアクセスし、ウェブコンテンツの取得要求を行う。ここで、ウェブコンテンツ取得部２０６は、ＨＴＴＰクライアント機能を有する。ウェブコンテンツ取得部２０６は、ＨＴＴＰのゲットコマンドでウェブコンテンツを取得する。ウェブコンテンツ取得部２０６は、ウェブコンテンツを取得すると、印刷処理部２０８に通知する。
【００３７】
解析処理部２０４は、受信処理部２０２が受信したファクシミリデータを解析し、ファクシミリデータに印刷情報が含まれるか否かも判断する。ファクシミリデータに印刷情報が含まれる場合、解析処理部２０４は、その旨を印刷処理部２０８に通知する。
【００３８】
印刷処理部２０８は、受信処理部２０２、解析処理部２０４、およびウェブコンテンツ取得部２０６からの通知に基づきファクシミリデータの印刷を行う。受信処理部２０２が受信したファクシミリデータが印刷情報を含む場合は、その印刷情報に基づいてファクシミリデータを印刷する。受信処理部２０２が受信したファクシミリデータが印刷情報を含まない場合は、自動で印刷条件を設定するか、受信側ファクシミリ装置２００のユーザからの指示に基づき印刷条件を設定してファクシミリデータを印刷する。
【００３９】
受信したファクシミリデータがウェブコンテンツのＵＲＬを含まない場合、印刷処理部２０８は、受信処理部２０２が受信したファクシミリデータをラスタライズして、所定の印刷条件に従い印刷する。
【００４０】
受信したファクシミリデータがウェブコンテンツのＵＲＬを含む場合、印刷処理部２０８は、ウェブコンテンツ取得部２０６が取得したウェブコンテンツを含むデータをラスタライズして、所定の印刷条件に従い印刷する。
【００４１】
図２は、本実施の形態における送信側ファクシミリ装置１００の処理手順を示すフローチャートである。
【００４２】
ユーザ端末１３２からファクシミリデータの送信指示があると（Ｓ１００のＹＥＳ）、受付部１０２は、送信データの送信先の指定および送信データを受け付ける（Ｓ１０２およびＳ１０４）。また、受付部１０２は、送信データとともに、送信データを印刷する際の印刷情報も受け付ける。
【００４３】
送信内容判断部１１０は、送信データがウェブコンテンツを含むか否かを判断する（Ｓ１０６）。送信データがウェブコンテンツを含む場合（Ｓ１０６のＹＥＳ）、送信先判断部１０６は、送信先情報記憶部１０８を参照して、送信先のファクシミリ装置がウェブコンテンツを取得可能か否かを判断する（Ｓ１０８）。送信先のファクシミリ装置がウェブコンテンツを取得可能な場合（Ｓ１０８のＹＥＳ）、置換処理部１１２は、送信データに含まれるウェブコンテンツをそのウェブコンテンツのＵＲＬに置換する（Ｓ１１０）。
【００４４】
送信処理部１１４は、受付部１０２が受け付けた印刷情報をＰＪＬで記述するとともに、その印刷情報と置換処理部１１２が置換したデータとをＰＤＬ形式に変換し（Ｓ１１２）、バイナリ形式で送信先のファクシミリ装置に送信する（Ｓ１１４）。
【００４５】
一方、ステップＳ１０６において、送信データがウェブコンテンツを含まない場合（Ｓ１０６のＮＯ）、またはステップＳ１０８において、送信先のファクシミリ装置がウェブコンテンツを取得可能でない場合（Ｓ１０８のＮＯ）、ステップＳ１１２に進み、ＰＪＬで記述された印刷情報と、受付部１０２が受け付けた送信データとをＰＤＬ形式に変換し（Ｓ１１２）、バイナリ形式で送信先のファクシミリ装置に送信する（Ｓ１１４）。
【００４６】
なお、以上の処理では、送信データがウェブコンテンツを含む場合（Ｓ１０６のＹＥＳ）に、送信先のファクシミリ装置がウェブコンテンツを取得か否かを判断する（Ｓ１０８）例を説明したが、ステップＳ１０６とステップＳ１０８の判断は同時に行ってもよく、またステップＳ１０８の判断を行った後にステップＳ１０６の判断を行ってもよい。
【００４７】
図３は、本実施の形態における受信側ファクシミリ装置２００の処理手順を示すフローチャートである。
【００４８】
受信処理部２０２がファクシミリデータを受信すると（Ｓ２００のＹＥＳ）、解析処理部２０４は、受信したファクシミリデータを解析し、そのファクシミリデータがバイナリ形式か否かを判断する（Ｓ２０２）。ファクシミリデータがバイナリ形式の場合（Ｓ２０２のＹＥＳ）、解析処理部２０４は、そのファクシミリデータがＰＤＬ形式か否かを判断する（Ｓ２０４）。ファクシミリデータがＰＤＬ形式の場合（Ｓ２０４のＹＥＳ）、解析処理部２０４は、ＰＤＬの内容を解析し、ファクシミリデータがウェブコンテンツのＵＲＬを含むか否かを判断する（Ｓ２０６）。
【００４９】
受信したファクシミリデータがウェブコンテンツのＵＲＬを含む場合（Ｓ２０６のＹＥＳ）、ウェブコンテンツ取得部２０６は、ファクシミリデータに含まれるＵＲＬにＨＴＴＰでアクセスして、ウェブコンテンツを取得する（Ｓ２０８）。
【００５０】
また、解析処理部２０４は、受信したファクシミリデータが印刷情報を含むか否かを判断する（Ｓ２１０）。受信したファクシミリデータが印刷情報を含む場合（Ｓ２１０のＹＥＳ）、印刷処理部２０８は、ファクシミリデータに含まれる印刷情報に基づき、ウェブコンテンツ取得部２０６が取得したウェブコンテンツをラスタライズして印刷処理を行う（Ｓ２１２）。
【００５１】
ステップＳ２１０において、受信したファクシミリデータが印刷情報を含まない場合（Ｓ２１０のＮＯ）、印刷処理部２０８は、適宜印刷条件を設定して（Ｓ２１４）、ウェブコンテンツ取得部２０６が取得したウェブコンテンツをラスタライズして印刷処理を行う（Ｓ２１２）。
【００５２】
ステップＳ２０６において、受信したファクシミリデータがウェブコンテンツのＵＲＬを含まない場合（Ｓ２０６のＮＯ）、ステップＳ２１０に進み、上述したのと同様の処理が行われる。
【００５３】
また、受信したファクシミリデータがバイナリ形式でない場合（Ｓ２０２のＮＯ）、またはＰＤＬ形式でない場合（Ｓ２０４のＮＯ）、ステップＳ２１４に進み、印刷条件が設定された後（Ｓ２１４）、印刷処理が行われる（Ｓ２１２）。
【００５４】
以上のように、本実施の形態における送信側ファクシミリ装置１００によれば、送信先のファクシミリ装置がウェブコンテンツを取得可能であって、送信データにウェブコンテンツが含まれている場合、ウェブコンテンツのかわりに、そのウェブコンテンツのＵＲＬが送信先のファクシミリ装置に送信される。これにより、ファクシミリデータ送信時の通信データ量を削減することができる。
【００５５】
さらに、送信データとともにその送信データの印刷情報がファクシミリデータとして送信されるので、送信先のファクシミリ装置において、ウェブサーバからウェブコンテンツを取得した場合であっても、印刷情報に基づいて、そのウェブコンテンツを印刷処理することができ、送信側ファクシミリ装置１００で設定された印刷条件でファクシミリデータを印刷させることができる。
【００５６】
また、ウェブコンテンツのＵＲＬや印刷情報を含むファクシミリデータがＰＤＬ形式で記述され、バイナリ形式で送信されるので、送信先のファクシミリ装置において、これらのデータの解析を容易に行うことができる。
【００５７】
本実施の形態における受信側ファクシミリ装置２００によれば、受信したファクシミリデータにウェブコンテンツのアドレス情報が含まれる場合に、そのアドレス情報に基づき、対応するウェブコンテンツを取得することができる。また、取得したウェブコンテンツを、ファクシミリデータに含まれる印刷情報に基づき印刷するので、送信側のファクシミリ装置で設定された印刷条件で、ウェブコンテンツの印刷処理を行うことができる。
【００５８】
以上、本発明を実施の形態をもとに説明した。実施の形態は例示であり、それらの各構成要素や各処理プロセスの組合せにいろいろな変形例が可能なこと、またそうした変形例も本発明の範囲にあることは当業者に理解されるところである。
【００５９】
以上の実施の形態においては、送信側ファクシミリ装置１００の機能と受信側ファクシミリ装置２００の機能とそれぞれ別個に説明したが、本発明のファクシミリ装置は、これらの機能両方を含む構成とすることができる。
【００６０】
実施の形態で説明した送信側ファクシミリ装置１００は、ウェブコンテンツではないデータを、所定のウェブサーバにアップロードする機能を有する構成とすることができる。送信側ファクシミリ装置１００は、ユーザ端末１３２から受け付けた送信データがウェブコンテンツを含まない場合でも、送信データを所定のウェブサーバにアップロードすることができる。この場合、置換処理部１１２は、ユーザ端末１３２から受け付けた送信データを当該送信データにアクセスするためのＵＲＬ等のアドレス情報と置換することができる。送信先のファクシミリ装置がウェブコンテンツを取得可能な場合、送信処理部１１４は、このアドレス情報を含むデータをファクシミリデータとして送信先のファクシミリ装置に送信することができる。
【図面の簡単な説明】
【００６１】
【図１】実施の形態におけるファクシミリ装置を含むネットワークシステムの構成を示すブロック図である。
【図２】送信側ファクシミリ装置の処理手順を示すフローチャートである。
【図３】受信側ファクシミリ装置の処理手順を示すフローチャートである。
【図４】送信側ファクシミリ装置の送信先情報記憶部の内部構造の一例を示す図である。
【符号の説明】
【００６２】
１００  送信側ファクシミリ装置
１０２  受付部
１０６  送信先判断部
１０８  送信先情報記憶部
１１０  送信内容判断部
１１２  置換処理部
１１４  送信処理部
１３０  ＬＡＮ
１３２  ユーザ端末
２００  受信側ファクシミリ装置
２０２  受信処理部
２０４  解析処理部
２０６  ウェブコンテンツ取得部
２０８  印刷処理部
３００  ＰＳＴＮ
３０２  インターネット
３０４  ウェブサーバ
【図１】
2006054688.tif 000003
【図２】
2006054688.tif 000004
【図３】
2006054688.tif 000005
【図４】
2006054688.tif 000006